(57)【要約】  ポストカラム蛍光検出法においてホウ酸を用いずに還元糖中のマンノース−６−リン酸（Ｍ６Ｐ）を分離分析するための装置及び方法が開示されている。当該装置は，カラムクロマトグラフィーによる分離分析装置であって，リン酸に親和性を有する固定相を備えたカラムと，溶出液の流路と，流路の途中に設けられた，流路中の溶出液を加熱してＭ６Ｐと塩基性アミノ酸とを反応させる加熱器と，その下流に設けられた，溶出液に励起光を連続的に照射して放射される蛍光の強度を測定する蛍光検出装置とを含み，流路において，カラムと加熱器との間に塩基性アミノ酸を添加するための供給路を更に含んでよい装置装置であり，上記方法は，当該装置を用い，所定の濃度のリン酸塩を含む所定のｐＨに調整した第２の緩衝液からなる第２の移動相を用いることを特徴とする。【特許請求の範囲】
【請求項１】
試料中に含まれるマンノース−６−リン酸の分離分析のための，カラムクロマトグラフィーを用いた分離分析装置であって，リン酸に対する親和性を有する固定相を備えたカラムと，該カラムからの溶出液の流路と，該流路の途中に設けられた，該流路中の溶出液を加熱して溶出液中に含まれるマンノース−６−リン酸と塩基性アミノ酸とを反応させるための加熱器と，該加熱器の下流において該流路に設けられた，溶出液に励起光を連続的に照射して該溶出液から放射される蛍光の強度を測定するための蛍光検出装置とを含み，該流路において，カラムと該加熱器との間に塩基性アミノ酸を添加するための供給路を更に含んでよいものである，分離分析装置。
【請求項２】
該流路において，該加熱器と該蛍光検出装置の間に，更に冷却装置が設けられているものである，請求項１の分離分析装置。
【請求項３】
該流路において，該加熱器と該蛍光検出装置の間に，更に背圧発生器が備えられているものである，請求項１又は２の分離分析装置。
【請求項４】
該流路において，該冷却装置が，該加熱器と該背圧発生器との間に設けられているものである，請求項３の分離分析装置。
【請求項５】
該固定相が，ヒドロキシアパタイト，フルオロキシアパタイト，及びそれらの混合物よりなる群から選択されるものである，請求項１ないし４の何れかの分離分析装置。
【請求項６】
請求項１ないし５何れかの装置を用いた，試料中に含まれるマンノース−６−リン酸の分離分析方法であって，
該試料を該カラムに負荷し，
所定のｐＨに調整した第１の緩衝液からなる第１の移動相の十分量を該カラムに通すことによりカラムを洗浄し，
該カラムに，所定の濃度のリン酸塩を含む所定のｐＨに調整した第２の緩衝液からなる第２の移動相を，所定の流速で連続的に供給してマンノース−６−リン酸を溶離させ，
該カラムからの溶出液を連続的に該流路中に導き，
該流路中において該溶出液に少なくとも１種の塩基性アミノ酸含有溶液を所定の速度で連続的に添加して混合溶液とし，
該混合溶液をして，所定温度の該加熱器内を所定時間かけて通過させることにより，該混合溶液を加熱し，
加熱後の該混合溶液を，該蛍光分析装置にかけることにより所定の励起光照射下で該混合溶液から放射される蛍光の強度を測定し記録することを含んでなる方法。
【請求項７】
請求項１ないし５の何れかの装置を用いた，試料中に含まれるマンノース−６−リン酸の分離分析方法であって，
マンノース−６−リン酸を含む試料溶液を該カラムに負荷し，
所定濃度の少なくとも１種の塩基性アミノ酸を含有する所定のｐＨに調整した第１の緩衝液からなる第１の移動相の十分量を該カラムに通すことによりカラムを洗浄し，
該カラムに，少なくとも１種の塩基性アミノ酸と所定濃度のリン酸塩を含む所定のｐＨに調整した第２の緩衝液からなる第２の移動相を，所定の流速で連続的に供給してマンノース−６−リン酸を溶離させ，
該カラムからの溶出液を連続的に該流路中に導き，
該溶出液をして，所定温度の該加熱器内を所定時間かけて通過させることにより，該溶出液を加熱し，
加熱後の該溶出液を，蛍光分析装置にかけることにより所定の励起光照射下で該溶出液から放射される蛍光の強度を測定し記録することを含んでなる方法。
【請求項８】
該第１の移動相の該所定のｐＨが５．５〜９．５であり，該第２の移動相の該所定のｐＨが５．５〜９．５である，請求項６又は７の方法。
【請求項９】
該第１の緩衝液が，トリス緩衝液，グッドの緩衝液，酢酸緩衝液，クエン酸緩衝液，クエン酸−リン酸緩衝液，リン酸緩衝液，グリシン緩衝液，及び炭酸緩衝液からなる群から又はこれらの緩衝液の少なくとも２種類の混合液から選択されるものであり，該第２の緩衝液が，トリス緩衝液，グッドの緩衝液，酢酸緩衝液，クエン酸緩衝液，クエン酸−リン酸緩衝液，リン酸緩衝液，グリシン緩衝液，及び炭酸緩衝液からなる群から又はこれらの緩衝液の少なくとも２種類の混合液から選択されるものである，請求項８の方法。
【請求項１０】
該第２の移動相に含まれる該リン酸塩の濃度が，１５〜５０ｍＭである，請求項６ないし９の何れかの分離分析方法。
【発明の詳細な説明】
【技術分野】
【０００１】
本発明は，マンノース−６−リン酸（Ｍ６Ｐ）の，ポストカラム蛍光検出法を用いた分析装置及びこれを用いた分析法の改良に関する。
【背景技術】
【０００２】
還元糖の分析法として，還元糖を含む試料を，ホウ酸を含有する水性溶液を移動相として用いる液体クロマトグラフィーに付し，流路中で，溶出液にアルギニン等の塩基性アミノ酸を含有するホウ酸水溶液を加え，加熱して還元糖と反応させた後冷却し，反応液に励起光を照射して蛍光強度又は吸光度を測定することによる方法が知られている（特許文献１）。ここで用いられる装置は，カラムからの流出路を延長し，この流出路に塩基性アミノ酸を含有するホウ酸水溶液の供給経路を接続し，次いで加熱装置，冷却装置，励起光の照射装置，及び蛍光強度等の測定装置を取り付けたものである。この方法では，液体クロマトグラフィーからの溶出液に塩基性アミノ酸を含有するホウ酸水溶液を加えるための供給経路を設けておく必要がある。【０００３】
また，上記方法の改良型として，還元糖を含む試料を，ホウ酸及び反応試薬であるアルギニン等の塩基性アミノ酸を含有する移動相を用いる液体クロマトグラフィーに付し，流路中で，溶出液を加熱して反応試薬と還元糖と反応させた後冷却し，反応液に励起光を照射して蛍光強度又は吸光度を測定することによる方法が知られている（特許文献２）。この方法では，液体クロマトグラフィーの移動相として塩基性アミノ酸を含有するホウ酸水溶液が用いられることから，塩基性アミノ酸を含有するホウ酸水溶液を溶出液に後から加えるための供給経路を設けておく必要がない。これらの還元糖分析法は，ポストカラム蛍光検出−ホウ酸錯体陰イオン交換法と呼ばれている。【０００４】
上記の還元糖分析法は共に，還元糖が，ホウ酸存在下にアルギニン等の塩基性アミノ酸との加熱反応により強い発蛍光誘導体を生成することを，カラムから溶出してきた還元糖の検出に利用している（非特許文献１）。この発蛍光誘導体は，還元糖とアミノ化合物である塩基性アミノ酸との加熱反応（メイラード反応）により生じた褐色を呈するメイラノジンであり，これは，励起光として波長３２０ｎｍの光の照射を受けると，波長４３０ｎｍの光を放射する。またこれらの還元糖分析法におけるカラムによる還元糖の分離には，還元糖がホウ酸と容易に結合してアニオン性錯イオンを生成する性質を有すること，及びこのアニオン性錯イオンが陰イオン交換カラムに保持されることを利用している。【０００５】
ポストカラム蛍光検出−ホウ酸錯体陰イオン交換法では，移動相として，０．０１〜５％の濃度の塩基性アミノ酸と０．０５〜０．５Ｍの濃度のホウ酸とを含有する水溶液（ｐＨ７〜１０）が用いられる。このとき使用される塩基性アミノ酸は，アルギニン，リジン，ヒスチジン等であり，これらの塩基性アミノ酸の各々は，Ｄ体，Ｌ体，ＤＬ体の何れであっても同等にメイラノジンを生じることから，各鏡像体又はラセミ体の区別なく反応に用いることができる。更に，最近では，液体クロマトグラフィーの移動相として，０．１Ｍホウ酸緩衝液及び０．４Ｍホウ酸緩衝液によるグラジエントを用いて糖の分離を行うことも知られている（特許文献３，４）。また，移動相として用いるホウ酸緩衝液に含まれるホウ酸濃度を５０〜１５０ｍＭとし，これに塩化ナトリウム等の無機塩類を添加し，無機塩類のグラジエントを用いて糖を分離する方法も開発されている（特許文献５）。この方法によると，移動相中に含まれるホウ酸が低濃度であるので，ホウ酸の析出により配管が詰まることを防止できる。【０００６】
従来のポストカラム蛍光検出−ホウ酸錯体陰イオン交換法では，液体クロマトグラフィーにおける試料の溶離は，室温〜70℃の温度で行われ，また加熱反応（メイラード反応）は140〜180℃で行われる（特許文献２）。溶離と反応をこのような高温下に高いホウ酸濃度で行うことから，熱による移動相の膨張、移動相内での対流等が生じる。これらの現象はポストカラム蛍光検出−ホウ酸錯体陰イオン交換法において蛍光検出器で検出される蛍光のノイズの原因となり，ひいては検出感度を低下させる原因となり得る。したがって，同方法により還元糖の分析，特にその定量分析を行う場合には，専用のソフトウェアを用いて検出結果を補正する必要があった。【０００７】
ポストカラム蛍光検出−ホウ酸錯体陰イオン交換法で分析できる還元糖は，塩基性アミノ酸とメイラード反応を起こすものであり，グルコース，マンノース，ガラクトース，果糖，ラムノース等の単糖，マルトース，マルトトリオース等のオリゴ糖，グルコサミン，ガラクトサミン等のアミノ糖，グルクロン酸等のウロン糖等を含む。【０００８】
同法の分析対象として，糖タンパク質の糖鎖に由来する還元糖が挙げられる。糖タンパク質の糖鎖を構成する還元糖には，マンノース，ガラクトース，フコース等の単糖，ガラクトサミン等のアミノ糖等がある。糖鎖にはまた，マンノース−６−リン酸（Ｍ６Ｐ）が含まれる場合がある。糖鎖に含まれるＭ６Ｐは，糖タンパク質が，膜受容体であるマンノース−６−リン酸受容体へ結合するために必須のものである。【０００９】
リソソーム病に対する酵素補充療法に用いられる酵素のうちのあるものは，薬効を発揮するために，その糖鎖中にＭ６Ｐが含まれていることを必要とする。何故なら，それらは，糖鎖中のＭ６Ｐを介して細胞表面のマンノース−６−リン酸受容体へ結合し，次いでエンドサイトーシスにより細胞内の小胞に取り込まれ，この小胞がリソソームと融合することによりリソソームに運ばれて，リソソーム中で基質を分解することによって薬効を発揮するものであり，Ｍ６Ｐを欠くと，細胞に取り込まれないからである。そのような酵素としては，リソソーム酸性リパーゼ，酸性スフィンゴミエリナーゼ，酸性α−グルコシダーゼ（酸性マルターゼ），Ｎ−アセチルガラクトサミン−４−スルファターゼがあり，遺伝子組換え技術を用いて製造したこれらの酵素は，それぞれ，ウォルマン病，ニーマン・ピック病，ポンペ病，マロトー・ラミー症候群に対する酵素補充療法に利用し得る。【００１０】
ポストカラム蛍光検出−ホウ酸錯体陰イオン交換法に用いられるホウ酸は，経口摂取により腹痛，痙攣，下痢，吐き気，嘔吐，皮疹，ふらつき，発疹などを起こし，また反復又は長期の皮膚への接触により，皮膚炎を起こすことがある。また，動物試験により，ホウ酸は，ヒトに対し生殖毒性的な影響及ぼす可能性があることが示されている（非特許文献２）。従って，同法は，そのような毒性を有するホウ酸を含む廃液の発生をもたらすという点で，環境負荷が高い。
【先行技術文献】
【特許文献】
【００１１】
【特許文献１】特開昭５８−２１６９５３号公報
【特許文献２】特開昭６１−２５０５９号公報
【特許文献３】特開２００６−１８４１３１号公報
【特許文献４】特開２００８−２４５５５０号公報
【特許文献５】特開２０１０−２３７１９９号公報
【非特許文献】
【００１２】
【非特許文献１】Mikami H. et. Al., Bunseki Kagaku(1983) 32, E207
【非特許文献２】国際化学物質安全性カード（ICSC）国際英語版，国際労働機関（2004年11月30日更新）
【発明の概要】
【発明が解決しようとする課題】
【００１３】
上記背景の下で，本発明の目的は，ポストカラム蛍光検出法において，ホウ酸を用いることなしに還元糖中のマンノース−６−リン酸の検出を可能とすることである。また，本発明の他の目的は，ポストカラム蛍光検出法において，当該検出法に用いる分離分析装置の流路に背圧発生器を設けることにより，蛍光検出器で検出される蛍光のノイズを除去し，検出感度を高めることである。
【課題を解決するための手段】
【００１４】
上記目的に向けた研究において，本発明者らは，ポストカラム蛍光検出法において，移動相に，ホウ酸を含有する水性溶液に換えてトリス緩衝液及びリン酸塩を含有するトリス緩衝液を用い，且つ液体クロマトグラフィーに，陰イオン交換カラムクロマトグラフィーに換えて，ハイドロキシアパタイトカラムクロマトグラフィーを用いることにより，ホウ酸を使用することなく，還元糖中のマンノース−６−リン酸を分離検出できることを見出した。本発明は，これらの発見に基づいて完成されたものである。【００１５】
すなわち，本発明は以下を提供する。
１．試料中に含まれるマンノース−６−リン酸の分離分析のための，カラムクロマトグラフィーを用いた分離分析装置であって，リン酸に対する親和性を有する固定相を備えたカラムと，該カラムからの溶出液の流路と，該流路の途中に設けられた，該流路中の溶出液を加熱して溶出液中に含まれるマンノース−６−リン酸と塩基性アミノ酸とを反応させるための加熱器と，該加熱器の下流において該流路に設けられた，溶出液に励起光を連続的に照射して該溶出液から放射される蛍光の強度を測定するための蛍光検出装置とを含み，該流路において，カラムと該加熱器との間に塩基性アミノ酸を添加するための供給路を更に含んでよいものである，分離分析装置。
２．該流路において，該加熱器と該蛍光検出装置の間に，更に冷却装置が設けられているものである，上記１の分離分析装置。
３．該流路において，該加熱器と該蛍光検出装置の間に，更に背圧発生器が備えられているものである，上記１又は２の分離分析装置。
４．該流路において，該冷却装置が，該加熱器と該背圧発生器との間に設けられているものである，上記３の分離分析装置。
５．該固定相が，ヒドロキシアパタイト，フルオロキシアパタイト，及びそれらの混合物よりなる群から選択されるものである，上記１ないし４の何れかの分離分析装置。
６．  上記１ないし５何れかの装置を用いた，試料中に含まれるマンノース−６−リン酸の分離分析方法であって，
該試料を該カラムに負荷し，
所定のｐＨに調整した第１の緩衝液からなる第１の移動相の十分量を該カラムに通すことによりカラムを洗浄し，
該カラムに，所定の濃度のリン酸塩を含む所定のｐＨに調整した第２の緩衝液からなる第２の移動相を，所定の流速で連続的に供給してマンノース−６−リン酸を溶離させ，
該カラムからの溶出液を連続的に該流路中に導き，
該流路中において該溶出液に少なくとも１種の塩基性アミノ酸含有溶液を所定の速度で連続的に添加して混合溶液とし，
該混合溶液をして，所定温度の該加熱器内を所定時間かけて通過させることにより，該混合溶液を加熱し，
加熱後の該混合溶液を，該蛍光分析装置にかけることにより所定の励起光照射下で該混合溶液から放射される蛍光の強度を測定し記録することを含んでなる方法。
７．上記１ないし５の何れかの装置を用いた，試料中に含まれるマンノース−６−リン酸の分離分析方法であって，
マンノース−６−リン酸を含む試料溶液を該カラムに負荷し，
所定濃度の少なくとも１種の塩基性アミノ酸を含有する所定のｐＨに調整した第１の緩衝液からなる第１の移動相の十分量を該カラムに通すことによりカラムを洗浄し，
該カラムに，少なくとも１種の塩基性アミノ酸と所定濃度のリン酸塩を含む所定のｐＨに調整した第２の緩衝液からなる第２の移動相を，所定の流速で連続的に供給してマンノース−６−リン酸を溶離させ，
該カラムからの溶出液を連続的に該流路中に導き，
該溶出液をして，所定温度の該加熱器内を所定時間かけて通過させることにより，該溶出液を加熱し，
加熱後の該溶出液を，蛍光分析装置にかけることにより所定の励起光照射下で該溶出液から放射される蛍光の強度を測定し記録することを含んでなる方法。
８．該第１の移動相の該所定のｐＨが５．５〜９．５であり，該第２の移動相の該所定のｐＨが５．５〜９．５である，上記６又は７の方法。
９．該第１の緩衝液が，トリス緩衝液，グッドの緩衝液，酢酸緩衝液，クエン酸緩衝液，クエン酸−リン酸緩衝液，リン酸緩衝液，グリシン緩衝液，及び炭酸緩衝液からなる群から又はこれらの緩衝液の少なくとも２種類の混合液から選択されるものであり，該第２の緩衝液が，トリス緩衝液，グッドの緩衝液，酢酸緩衝液，クエン酸緩衝液，クエン酸−リン酸緩衝液，リン酸緩衝液，グリシン緩衝液，及び炭酸緩衝液からなる群から又はこれらの緩衝液の少なくとも２種類の混合液から選択されるものである，上記８の方法。
１０．該第２の移動相に含まれる該リン酸塩の濃度が，１５〜５０ｍＭである，上記６ないし９の何れかの分離分析方法。
【発明の効果】
【００１６】
本発明は，ポストカラム蛍光検出において，従来のようにホウ酸を使用することなく，還元糖中のマンノース−６−リン酸（Ｍ６Ｐ）を分離分析することを可能にする。従って，本発明によれば，従来の方法と異なりホウ酸を含有する廃液が発生せずこれを処理するための処理槽等の設備が不要となるため，本発明は経済的に有利であり，且つ環境面においても好ましい。
【図面の簡単な説明】
【００１７】
【図１】図１は，実施例における装置の配置及び流路を模式的に示す。
【図２】図２は，マンノース−６−リン酸標準溶液の分析結果を示すクロマトグラムである。縦軸は蛍光強度（任意単位），横軸は還元糖標準溶液負荷完了後の経過時間（分）を示す。
【図３】図３は，還元糖標準溶液の分析結果を示すクロマトグラムである。縦軸と横軸は図２に同じ。
【発明を実施するための形態】
【００１８】
本発明において，「ポストカラム蛍光検出法」というときは，還元糖を含む試料を，液体クロマトグラフィーに付して溶離し，得られた溶出液を反応試薬であるアルギニン等の塩基性アミノ酸とともに加熱して，反応試薬と糖類を反応（加熱反応）させた後冷却し，この反応液に励起光を照射し蛍光強度又は吸光度を測定する方法のことをいう。
【００１９】
本発明において，「リン酸に対して親和性を有する固定相」というときは，ある一定条件下，水溶液中のリン酸を補足して保持し得る担体のことをいい，好ましくはハイドロキシアパタイト，フルオロキシアパタイト，又は水和金属酸化物を担体に結合させてなるものであり，より好ましくはハイドロキシアパタイト，フルオロキシアパタイト，特に好ましくはハイドロキシアパタイトである。
【００２０】
ハイドロキシアパタイトは比較的安価であることから，上記固定相としてハイドロキシアパタイトを使用することが，分析に要する費用を低減させる上で好ましい。
【００２１】
上記の「水和金属酸化物を結合させた担体」において，「担体」の例としては，セルロース，デキストラン等の多糖類が挙げられるが，これらに限定されない。また，水和金属酸化物は，酸化チタン，酸化アルミニウム，イットリウム鉄ガーネット，イットリウム・アルミニウム・ガーネット，イットリウム・ガリウム・ガーネット，酸化第二鉄，酸化ガリウム，酸化イットリウム，酸化バナジウム，酸化ジルコニウム，チタン酸鉄，アルミン酸鉄，チタン酸カルシウム，チタン酸ナトリウム，アルミン酸ジルコニウム，針鉄鉱，ギブス石，バイヤライト，ベーマイト，イルメナイト，イルメノルチル，シュードルチル，ルチル，ブロカイト，シュードブロカイト，ゲルキーライト，パイロファン石，エカンドリュウサイト，メラノスチバイト，アルマルコライト，スリランカイト及びアナターゼからなる群から選択でき，好ましくは，酸化チタン，酸化アルミニウム，イットリウム鉄ガーネットであり，特に好ましくは酸化チタンである。酸化チタンを結合させた担体が市販されており，入手可能である（Titansphere (GL Science Inc.)）
【００２２】
本発明において，「フルオロキシアパタイト」というときは，Ｃａ５（ＰＯ４）３Ｆの化学式で表されるフルオロ化されたリン酸カルシウムである。フルオロキシアパタイトは，ハイドロキシアパタイトの水酸基をフッ素に置換することにより製造できる。ハイドロキシアパタイトの水酸基をほぼ完全にフッ素に置換したものが市販されており，入手可能である（CFT Type II 40 micrometer (Bio-Rad Laboratories)）。
【００２３】
本発明において，第１及び第２の緩衝液として用いることができる緩衝液は，好ましくは，トリス緩衝液，グッドの緩衝液，酢酸緩衝液，クエン酸緩衝液，クエン酸−リン酸緩衝液，リン酸緩衝液，グリシン緩衝液，及び炭酸緩衝液からなる群，若しくはこれらの緩衝液の少なくとも２種類の混合液から選択されるものである，ここで，グッドの緩衝液とは，MES，Bis-tris，ADA，Bis-trisプロパン，PIPES，ACES，MOPSO，コラミンクロリド，BES，MOPS，TES，HEPES，DIPSO，TAPSO，POPSO，HEPPSO，HEPPS（EPPS)，Tricine，グリシンアミド，Bicine，TAPS，CHES，CAPSO，CAPSの各緩衝液，及びこれらの緩衝液の混合液を含む一群の両性イオン緩衝液の総称である。これらの緩衝液の中で，第１又は第２の緩衝液として，より好ましいものは，トリス緩衝液，HEPES緩衝液，及びMES緩衝液であり，特にトリス緩衝液である。ここでトリス緩衝液とは，トリス（ヒドロキシメチル）アミノメタンを溶解し，所定のｐＨに調整した緩衝液のことをいう。
【００２４】
本発明において，第１及び第２の緩衝液のｐＨは，好ましくは５．５〜９．５であり，より好ましくは７．０〜８．５である。また，第１及び第２の緩衝液としてトリス緩衝液を使用する場合，そのｐＨは，好ましくは７．２〜９．４であり，またその濃度（トリス（ヒドロキシメチル）アミノメタンの濃度）は，好ましくは１５〜２５ｍＭ，より好ましくは約２０ｍＭである。但し，担体としてハイドロキシアパタイトを使用する場合には，これら何れの具体的緩衝液を用いる場合についても，第１及び第２の緩衝液のｐＨは，６．５〜９．５とすることが好ましく，７．０〜８．５とすることがより好ましい。
【００２５】
本発明において，第２の緩衝液に添加されるリン酸塩の濃度は，担体に保持されたマンノース−６−リン酸を，担体から溶離できる限り特に限定はないが，通常，１０ｍＭ以上の濃度となるようにリン酸塩が添加され，１５〜５０ｍＭが最も一般的である。
【００２６】
本発明において，ポストカラム蛍光検出法における移動相の流速，カラム温度，反応試液における試薬の種類と濃度，反応試液注入速度，加熱器内の温度等の条件は，マンノース−６−リン酸が分離分析できる限り特に限定なく設定することができ，例えば表１及び表２に示した条件（Ｉ法及びＩＩ法）で行うことができる。
【００２７】
【表１】
2012133269.tif 000002
【００２８】
【表２】
2012133269.tif 000003
【００２９】
本発明において，混合して又は単独で移動相をなす溶液Ａ及び溶液Ｂはともに水溶液である。溶液Ｂの比率を高めるには，連続的に高めても，断続的に高めてもよいが，好ましくは連続的に高められ，また特に好ましくは，直線的に（すなわち，一定の速度で連続的に）高められる。溶液Ｂの比率の上昇は，分析の対象であるマンノース−６−リン酸が溶出するまで行えばよい。
本発明において，「第１の移動相」とは，試料の負荷完了後クロマトグラフィーを開始する時の最初の移動相のことをいい，これはマンノース−６−リン酸をカラムに結合させたまま夾雑物を洗浄除去するするための洗浄液である。表２において，第１の移動相は溶液Ａからなる。「第２の移動相」とは，カラムに第１の移動相を通した後に，カラムからマンノース−６−リン酸を溶離させるためにカラムに通す移動相（上記表２においては，溶液Ｂの比率を０ｖ／ｖ％より高めた移動相）のことをいう。単に「移動相」というときは，第１の移動相及び第２の移動相２を区別することなく示す。
【００３０】
移動相の流速は，使用する分析機器，分析対象の特性等に応じて，分析結果が良好となるように適宜調整されるべきものであり，一般に０．１〜１ｍＬ／分に調整されるが，分析機器の特性等によっては，０．１ｍＬ／分未満，又は１ｍＬ／分を超える流速に調整されてもよい。
【００３１】
本発明によるカラムクロマトグラフィーおいて，溶離は，室温で行うことができるが，カラムを恒温槽（カラム恒温槽）内に設置し，一定温度，例えば２５℃にすることにより，結果をより安定化させることができる。
【００３２】
本発明において使用する塩基性アミノ酸としては，特に限定はないが，好ましくはアルギニン，リジン，ヒスチジンであり，特に好ましくはアルギニンである。また，塩基性アミノ酸は何れかを単独で用いても，複数のものを混合物として用いてもよい。また，塩基性アミノ酸は，例えば，これを含有する水溶液を，流路を流れるカラムからの溶出液に反応試液として注入することによって，添加することができる。この場合，塩基性アミノ酸の注入速度は，一回の分析の間一定に保たれる限り適宜であってよい。通常は，流路内でカラムからの溶出液と混合した後の濃度（終濃度）が０．１〜２ｗ／ｖ％となるように注入すればよく，０．５〜１．８ｗ／ｖ％となるように注入するのが好ましく，１．０〜１．５ｗ／ｖ％となるように行うのがより好ましい。塩基性アミノ酸を含有する水溶液としては，例えば，これを含有する緩衝液を用いるのが好ましい。その場合，当該緩衝液の種類，濃度，ｐＨは，移動相の緩衝液のものと一致させてもよいが，ある程度異なっていても差し支えない。
【００３３】
また，流路を流れる溶出液に後から塩基性アミノ酸を反応試液の形で添加する代わりに，所定濃度の塩基性アミノ酸を予め移動相に溶解させておいてもよい。そうすることで，塩基性アミノ酸を含有する反応試液を後から溶出液に添加する場合に必要な供給経路を省略することができる。またこの場合，移動相中の塩基性アミノ酸の濃度は０．１〜２ｗ／ｖ％に調整すればよく，０．５〜１．８ｗ／ｖ％となるように調整するのが好ましく，１．０〜１．５ｗ／ｖ％となるように調整するのがより好ましい。
【００３４】
本発明において，カラムからの溶出液（カラムからの溶出液に塩基性アミノ酸を添加する場合は該添加後の溶出液）に含まれる還元糖と塩基性アミノ酸とを加熱器内で加熱して反応（加熱反応）させるときの反応温度は，１４０〜１８０℃とすることができ，好ましくは約１５０℃である。またこのときの反応は，糖分子中の還元基と塩基性アミノ酸が反応して褐色物質（メラノイジン）を生ずるメイラード反応である。加熱器は流路中の溶液を所定の時間，所定の温度にまで加熱するための加熱区域を備えた装置であり，そのような加熱区域を有するものであれば，加熱器として特に限定なく用いることができる。加熱器内での加熱時間は，メイラード反応を起こさせるに十分なものであれば特に限定はないが，一般に１〜２０分である。
【００３５】
本発明において，蛍光検出器で検出される蛍光のノイズをさらに低減するため，加熱反応後の溶出液を冷却装置に通過させて冷却することが好ましい。冷却後の溶出液の温度は，その後の蛍光強度の測定に支障がなければ特に制限はないが，１５〜７０℃が好ましい。また，このときの冷却は，流路を冷却装置により空冷，水冷等することにより行うことができる。空冷は，例えば流路にファンで送風することにより行える。水冷する場合は水道水をそのまま利用してもよい。この他，例えば，流路を，カラム恒温槽内に通すことにより冷却することもできる。カラム恒温槽内の温度は，一定温度，例えば２５℃に設定されるので，流路をカラム恒温槽に通すことにより，加熱反応後の溶出液の温度を下げることができる。
【００３６】
本発明において使用することができる背圧発生器は，流路内に設置され，それより上流側の流路内の溶液の圧力（背圧）を高めるためのものである。背圧発生器の使用は，ポストカラム検出法において蛍光検出器で検出される蛍光のノイズを低減させる効果を有する。従って，背圧発生器は，マンノース−６−リン酸の分析精度の向上が求められる場合には，特に設置することが好ましい。背圧発生器は，背圧を発生させることができるものであれば特に限定なく使用できる。背圧は，例えば，背圧発生器の内部で流路を細くすることにより発生させることができる。背圧発生器として，市販のバックプレッシャーレギュレーター〔1/16フランジタイプユニット（4×1.3 cm），SSI社製〕，バックプレッシャーレギュレーター〔BACK PRESSURE
REGULATOR ASSEMBLY, WITH P-763(100 PSI)CARTRIDGE，No. U-607，Upchurch Scientific製〕は，本発明において好適に使用することができる。これらのバックプレッシャーレギュレーターは，一般に検出器出口に取り付けることにより，検出器内に一定の背圧を与えるための装置として用いられているものである。
【００３７】
本発明において，背圧発生器は，加熱器と蛍光検出器の間の流路に設置され，また加熱器の下流に冷却装置を設置する場合は，当該冷却装置と蛍光検出器の間に設置することが好ましい。
【００３８】
本発明で分析することのできる糖類は，マンノース−６−リン酸の他，マンノース−６−リン酸を含む多糖である。ここでいう多糖には，２糖，オリゴ糖が含まれる。その他，マンノース−６−リン酸以外のリン酸化糖も分析することができる。分析すべき糖類は，試料溶液，すなわち予め所定の溶液に所定範囲内に収まる濃度となることが見込まれるように溶解したものとして調製される。このとき用いる上記所定の溶液は水性溶液，好ましくは純水若しくは第１の移動相と同一組成の溶液である。
【実施例】
【００３９】
以下，実施例を参照して本発明を更に詳細に説明するが，本発明が実施例に限定されることは意図しない。【００４０】
〔Ｍ６Ｐ標準溶液の作成〕
マンノース−６−リン酸ナトリウム塩１０ｍｇを純水に溶かして５ｍＬとしたものをＭ６Ｐ標準原液とした。Ｍ６Ｐ標準原液を純水で２０倍希釈して，マンノース−６−リン酸標準溶液（Ｍ６Ｐ標準溶液）とした。Ｄ（＋）−マンノース３００ｍｇ，Ｌ（−）−フコース１００ｍｇ及びＤ（＋）−ガラクトース３００ｍｇを純水に溶かして１００ｍＬとした。この水溶液を純水で２０倍に希釈したものを中性還元糖混合物標準溶液とした。中性還元糖混合物標準溶液１８ｍＬとＭ６Ｐ標準溶液２．５ｍＬを混合し，純水を加えて５０ｍＬとしたものを，還元糖標準溶液とした。【００４１】
〔移動相用の溶液の作成〕
トリス（ヒドロキシメチル）アミノメタン２．４ｇを純水に加えて溶かし，２Ｎ塩酸を用いてｐＨ７．２に調整した後，純水を加えて全量を１０００ｍＬとし，０．２２μｍのメンブレンフィルターを用いて吸引ろ過した。得られた溶液を溶液Ａ（２０ｍＭトリス緩衝液（ｐＨ７．２））とした。またトリス（ヒドロキシメチル）アミノメタン２．４ｇ及びリン酸二水素ナトリウム二水和物３．１ｇを純水に加えて溶かし，２Ｎ塩酸を用いてｐＨ７．２に調整した後，純水を加えて全量を１０００ｍＬとし，０．２２μｍのメンブレンフィルターを用いて吸引ろ過した。得られた溶液を溶液Ｂ（２０ｍＭトリス緩衝液−２０ｍＭリン酸溶液（ｐＨ９．０））とした。【００４２】
〔反応試液の作成〕
Ｌ−アルギニン３０ｇを溶液Ａに加えて溶かし，全量を１０００ｍＬとし，０．２２μｍ以下のメンブレンフィルターを用いて吸引ろ過し，得られた溶液を反応試液とした。【００４３】
〔ポストカラム蛍光検出法によるマンノース−６−リン酸の分析（１）〕
（１）装置
島津ＨＰＬＣシステムＬＣ−２０Ａ（還元糖分析システム，島津製作所）にハイドロキシアパタイトカラムであるＣＨＴ−Ｉカラム（５．０ｍｍＩ．Ｄ．×５０ｍｍ，基材：ＣＨＴセラミックハイドロキシアパタイトType I ４０μｍ，バイオラッドラボラトリーズ）をセットし，更にこのカラムを２５℃の恒温槽（カラム恒温槽）内に設置した。また，カラムの流出口の下流に加熱器としてヒートブロック（ＡＬＢ−２２１，旭テクノグラス製）をセットした。また，ヒートブロックの下流に冷却槽（室温で水道水を満たした槽）を設置し，その下流に背圧発生器としてバックプレッシャーレギュレーター（エムエス機器：U-607）を設置した。更にその下流に蛍光検出器を設置し，バックプレッシャーレギュレーター通過後の溶液に，励起光として波長３２０ｎｍの紫外線を照射し，波長４３０ｎｍの蛍光を検出するようにした。装置の配置及び流路を模式的に図１に示した。【００４４】
（２）操作手順
還元糖分析システムのオートサンプラーに，溶液Ａと溶液Ｂをセットし，更に，カラムの流出口の下流（且つヒートブロックの上流）に，反応試液が供給されるように装置をセットした（図１参照）。溶液Ａからなる第１の移動相でカラムを平衡化した後，Ｍ６Ｐ標準溶液をカラムに負荷した。【００４５】
カラムへのＭ６Ｐ標準溶液の負荷後，第１の移動相を０．３ｍＬ／分の流速で３０分間カラムに流し，次いで同一流速で３０分かけて溶液Ｂの体積比率を１００％まで直線的に高め，更に１０分間溶液Ｂを同一流速で流し，その後，２０分間溶液Ａを同一流速で流した。また，反応試液は，カラムの流出口の下流でカラムからの溶出液と混合するように，０．２ｍＬ／分の流速で流路に供給した。従って，混合後の溶液中におけるアルギニン濃度は，3×0.2／(0.3 + 0.2)＝1.2ｗ／ｖ％であった。このときのポストカラム蛍光検出法における諸条件を表３に示した。【００４６】
【表３】
2012133269.tif 000004
【００４７】
〔分析結果の評価〕
Ｍ６Ｐ標準溶液の分析結果を図２に示した。マンノース−６−リン酸ナトリウムに由来するピーク（ピークＡ）が，そのピークの面積（ＡＵＣ）が正確に算出できる程度に明瞭に得られた。【００４８】
〔ポストカラム蛍光検出法によるマンノース−６−リン酸の分析（２）〕
次いで，Ｍ６Ｐ標準溶液に換えて，還元糖標準溶液を，上記糖分析（１）と同じ装置及び同じ操作手順により分析した。【００４９】
〔分析結果の評価〕
還元糖標準溶液の分析結果を図２に示した。中性糖（マンノース，フコース及びガラクトース）の混合物に由来するピーク（ピークＢ）が現れた後，このピークと完全に分離して，マンノース−６−リン酸ナトリウムに由来するピーク（ピークＡ）が，そのピークの面積（ＡＵＣ）が正確に算出できる程度に明瞭に得られた。以上の結果は，ポストカラム蛍光検出法において，移動相に，トリス緩衝液及びリン酸を含有するトリス緩衝液を用い，且つ液体クロマトグラフィーに，ハイドロキシアパタイトカラムクロマトグラフィーを用いることにより，ホウ酸を使用することなく，マンノース−６−リン酸を定量できることを示す。
【産業上の利用可能性】
【００５０】
本発明は，ポストカラム蛍光検出法において，毒性を有するホウ酸を使用することなく，マンノース−６−リン酸を検出することができる方法として有用である。
【符号の説明】
【００５１】
１：オートサンプラー
２：恒温槽（カラム恒温槽）
３：カラム
４：加熱器（ヒートブロック）
５：冷却槽
６：背圧発生器
７：蛍光検出器
Ａ：溶液Ａ
Ｂ：溶液Ｂ
Ｃ：反応試液
【図１】
2012133269.tif 000005
【図２】
2012133269.tif 000006
【図３】
2012133269.tif 000007
【国際調査報告】
2012133269.tif 000008
2012133269.tif 000009
2012133269.tif 000010
2012133269.tif 000011